(57)【要約】【課題】複数の受信機を用いて、連続的に識別データを受信することを可能としたデータ受信装置を提供することを目的とする。【解決手段】識別データを受信する受信動作及び受信動作以外の第１所定動作を行う第１動作実行手段を有する第１受信機（１０）と、識別データを受信する受信動作及び該受信動作以外の第２所定動作を行う第２動作実行手段を有する第２受信機（２０）と、第１受信機の第１動作実行手段に第１所定動作を実行させる第１所定動作要求信号及び第２受信機に第２所定動作を実行させる第２所定動作要求信号を送信する要求信号送信手段（３２）と、第１受信機に対する第１所定動作要求信号を第２受信機が第２所定動作を終了した後に送信し且つ第２受信信号に対する第２所定動作要求信号を第１受信機が第１所定動作を終了した後に送信するように要求信号送信手段を制御する制御手段（３１）を有することを特徴とするデータ受信装置（１）。【選択図】図１
2009134636.tif 000002
【特許請求の範囲】
【請求項１】
識別データを受信する受信動作及び該受信動作以外の第１所定動作を行う第１動作実行手段を有する第１受信機と、
前記識別データを受信する受信動作及び該受信動作以外の第２所定動作を行う第２動作実行手段を有する第２受信機と、
前記第１受信機の前記第１動作実行手段に前記第１所定動作を実行させる第１所定動作要求信号、及び前記第２受信機に前記第２所定動作を実行させる第２所定動作要求信号を送信する要求信号送信手段と、
前記第１受信機に対する前記第１所定動作要求信号を前記第２受信機が前記第２所定動作を終了した後に送信し、且つ前記第２受信信号に対する前記第２所定動作要求信号を前記第１受信機が前記第１所定動作を終了した後に送信するように、前記要求信号送信手段を制御する制御手段と、
を有することを特徴とするデータ受信装置。
【請求項２】
前記制御手段は、
前記第１受信機に対する前記第１所定動作要求信号を、前記第２受信機が前記第２所定動作を終了してから、さらに前記第１受信機と前記第２受信機の両方が、前記識別データを１回以上受信可能な時間だけ経過した後に送信し、及び
前記第２受信機に対する前記第２所定動作要求信号を、前記第１受信機が前記第１所定動作を終了してから、さらに前記第１受信機と前記第２受信機の両方が、前記識別データを１回以上受信可能な時間だけ経過した後に送信する、
請求項１に記載のデータ受信装置。
【請求項３】
前記制御手段は、前記第１受信機及び第２受信機から受信した前記識別データ又は前記第１受信機及び第２受信機が受信した前記識別データに基づいて作成した作成データに基づいて、前記制御手段が制御する機能の少なくとも一部をロック状態又はアンロック状態にする施錠手段を有する、請求項１又は２に記載のデータ受信装置。
【請求項４】
前記施錠手段は、
前記ロック状態では、前記第１受信機から前記識別データ又は前記作成データを受信した場合に、前記制御手段が制御する機能の少なくとも一部をアンロック状態に切り替え、
前記アンロック状態では、前記第１受信機又は前記第２受信機のいずれかから前記識別データ又は前記作成データを受信しなかった場合に、前記制御手段が制御する機能の少なくとも一部をロック状態に切り替える、請求項３に記載のデータ受信装置。
【請求項５】
前記第１所定動作は、前記第１受信機が受信した前記識別データ又は前記第１受信機が受信した前記識別データに基づいて作成した作成データを、前記制御手段に送信するための動作であり、
前記第２所定動作は、前記第２受信機が受信した前記識別データ又は前記第２受信機が受信した前記識別データに基づいて作成した作成データを、前記制御手段に送信するための動作である、請求項１〜４の何れか一項に記載のデータ受信装置。
【請求項６】
前記制御手段は、前記第１受信機又は前記第２受信機から受信した前記識別データに基づいて、前記第２受信機が前記所定動作を終了してから前記第１受信機に前記第１所定動作要求信号を送信するまでの第１間隔と、前記第１受信機が前記所定動作を終了してから前記第２受信機に前記第２所定動作要求信号を送信するまでの第２間隔とを調整する、請求項１に記載のデータ受信装置。
【発明の詳細な説明】
【技術分野】
【０００１】
本発明は、データ受信装置、特に識別データを複数の受信機で受信するデータ受信装置に関する。
【背景技術】
【０００２】
ユーザがＰＣ（パーソナルコンピュータ）等を利用して、機密性の高い情報の入力や文書の作成を行っている場合、ユーザがＰＣを離れる時に、第３者にＰＣに記憶されたデータを勝手に見られたり、ダウンロードされたり、改ざんされたり、消去されたりすることを防ぐ必要性がある。
【０００３】
そこで、ユーザが携帯している発信機である携帯機器１００から識別データであるＩＤコードを送信し、受信機であるベース２５０でＩＤコードを受信してＰＣ２００へ送信し、ＰＣ２００において予め登録されているものと一致した場合にはＰＣの利用を許可するようにしたセキュリティシステムが知られている（例えば、特許文献１）。
【０００４】
このようなＰＣにおける認証は、所定間隔で行われることから、定期的にＰＣが適切な識別データを受信機側から受信し続けなければ、ＰＣを利用し続けることはできない。また、ＰＣから受信機側へデータの送信要求がなされた場合に、受信機側からＰＣへ受信機が受信した識別データが送信される。
【０００５】
しかしながら、受信機が受信した識別データをＰＣへ送信している間は識別データを受信することができないので、受信機において、連続的に識別データを受信することができないという問題があった。受信機で、連続的に識別データを受信することができないと、ＰＣから受信機へデータの送信要求がなされた時に、受信機で識別データを受信できておらず、そのためＰＣで識別データを連続的に認証できないので、ＰＣの継続利用が中断されてしまう不具合があった。
【０００６】
【特許文献１】特開２００６−１３９７５７号公報（図１）
【発明の開示】
【発明が解決しようとする課題】
【０００７】
そこで、本発明は、上記の不具合を解消することを可能としたデータ受信装置を提供することを目的とする。
【０００８】
また、本発明は、複数の受信機を用いて、連続的に識別データを受信することを可能としたデータ受信装置を提供することを目的とする。
【課題を解決するための手段】
【０００９】
上記課題を解決するために、本発明に係るデータ受信装置は、識別データを受信する受信動作及び受信動作以外の第１所定動作を行う第１動作実行手段を有する第１受信機と、識別データを受信する受信動作及び受信動作以外の第２所定動作を行う第２動作実行手段を有する第２受信機と、第１受信機の第１動作実行手段に第１所定動作を実行させる第１所定動作要求信号及び第２受信機に第２所定動作を実行させる第２所定動作要求信号を送信する要求信号送信手段と、第１受信機に対する第１所定動作要求信号を第２受信機が第２所定動作を終了した後に送信し且つ第２受信信号に対する第２所定動作要求信号を第１受信機が第１所定動作を終了した後に送信するように要求信号送信手段を制御する制御手段を有することを特徴とする。
【００１０】
さらに、本発明に係るデータ受信装置では、制御手段は、第１受信機に対する第１所定動作要求信号を、第２受信機が第２所定動作を終了してから、さらに第１受信機と第２受信機の両方が、識別データを１回以上受信可能な時間だけ経過した後に送信し、及び第２受信機に対する第２所定動作要求信号を、第１受信機が第１所定動作を終了してから、さらに第１受信機と第２受信機の両方が、識別データを１回以上受信可能な時間だけ経過した後に送信する、ことが好ましい。
【００１１】
さらに、本発明に係るデータ受信装置では、制御手段は、第１受信機及び第２受信機から受信した識別データ又は第１受信機及び第２受信機が受信した識別データに基づいて作成した作成データに基づいて、制御手段が制御する機能の少なくとも一部をロック状態又はアンロック状態にする施錠手段を有する、ことが好ましい。
【００１２】
さらに、本発明に係るデータ受信装置では、施錠手段は、ロック状態では、第１受信機から識別データ又は作成データを受信した場合に、制御手段が制御する機能の少なくとも一部をアンロック状態に切り替え、アンロック状態では、第１受信機又は第２受信機のいずれかから識別データ又は作成データを受信しなかった場合に、制御手段が制御する機能の少なくとも一部をロック状態に切り替える、ことが好ましい。
【００１３】
さらに、本発明に係るデータ受信装置では、第１所定動作は、第１受信機が受信した識別データ又は第１受信機が受信した識別データに基づいて作成した作成データを、制御手段に送信するための動作であり、第２所定動作は、第２受信機が受信した識別データ又は第２受信機が受信した識別データに基づいて作成した作成データを、制御手段に送信するための動作である、ことが好ましい。
【００１４】
さらに、本発明に係るデータ受信装置では、制御手段は、第１受信機及び第２受信機から受信した識別データに基づいて、第２受信機が所定動作を終了してから第１受信機に第１所定動作要求信号を送信するまでの第１間隔と、第１受信機が所定動作を終了してから第２受信機に第２所定動作要求信号を送信するまでの第２間隔とを調整する、ことが好ましい。
【発明の効果】
【００１５】
本発明によれば、複数の受信機を用いて識別データを受信するように構成し、所定のタイミングで制御手段から複数の受信機への要求信号を送信するように構成したので、制御手段側で、要求信号に応じて確実に識別データを受信することが可能となった。これによって、不用意にＰＣの機能の一部がロック状態となってしまうことを防止することが可能となった。
【発明を実施するための最良の形態】
【００１６】
以下図面を参照して、本発明に係るデータ受信装置について説明する。
【００１７】
図１は、本発明に係るデータ受信装置１の概略構成を示した図である。
【００１８】
データ受信装置１は、第１受信機１０、第２受信機２０及びＰＣ（パーソナル・コンピュータ）３０から構成されている。また、第１受信機１０及び第２受信機２０は、ＵＳＢケーブルでＰＣ３０に接続されている。
【００１９】
データ受信装置１では、第１受信機１０及び／又は第２受信機２０が送信機４０から出力される識別データを受信してＰＣ３０に送信し、ＰＣ３０において予め記憶されているデータと受信した識別データとの認証を行って、認証が取れた場合には、ＰＣ３０を利用可能な状態（開錠（アンロック）状態）に維持し、認証がとれない場合には、ＰＣ３０を利用不可能状態（施錠（ロック）状態）に維持する。即ち、データ受信装置１は、ＰＣの施錠システム、又はパソコンロックシステムとしてＰＣに付加され得る装置（及びソフトウエア）として構成される。
【００２０】
例えば、データ受信装置１は、予め定められた識別コードを送信するタグ型の送信機４０とセットで利用される。即ち、正規のユーザが携帯する正規の送信機４０が第１受信機１０又は第２受信機２０の受信範囲内にある限りは、ＰＣ３０はユーザに利用可能となり、正規の送信機４０が第１受信機１０又は第２受信機２０の受信範囲内から離れた場合等では、ＰＣ３０は施錠状態（ロック状態）に維持され、他人に利用することができなくなって、セキュリティが守られることとなる。
【００２１】
第１受信機１０は、第１ＣＰＵ１１、送信機４０からのデータを受信するための第１アンテナ１２、受信データの復調を行う第１受信回路１３、プログラムや受信したデータを一時記録等するためのＲＡＭ及びＲＯＭ等から構成される第１メモリ１４、ＰＣ３０からの所定動作要求信号を受信し且つ受信したデータ等をＰＣ３０へ送信するための第１ＵＳＢインタフェース（Ｉ／Ｆ）１５等から構成されている。
【００２２】
第１ＣＰＵ１１は、第１受信回路１３から識別データを受信する受信動作と、受信動作以外の動作である、識別データを第１ＵＳＢインタフェース（Ｉ／Ｆ）１５を用いてＰＣ３０へ送信する所定動作を制御する動作実行手段として機能する。また、第１ＣＰＵ１１は、受信した識別データを第１メモリ１４に一時記録する。
【００２３】
第１ＣＰＵ１１は、識別データを受信する際の受信強度に応じて、例えば８ビットの受信強度データを生成して識別データと合わせてＰＣ３０へ送信することも可能である。また、第１ＣＰＵ１１は、識別データを受信する際に、受信強度の閾値を設定し、閾値以下の場合には受信した識別データを識別データとして利用しない（受信しない）ようにすることも可能である。さらに、第１ＣＰＵ１１は、ＰＣ３０からの信号に応じて、受信強度の閾値を変更するように制御することも可能である。さらに、第１受信機１０や第２受信機２０から、識別データとともに送信される８ビットの受信強度データに基づいて、ＰＣ３０の第３ＣＰＵ３１が、第１受信機１０や第２受信機２０が受信した識別データの受信強度が閾値を超えているか否か判断するようにすることもできる。
【００２４】
第１ＣＰＵ１１は、また、識別データをＰＣ３０へ送信するのではなく、予め第１メモリ１４に記録されている基準データと受信した識別データの認証を行って、その結果作成された認証されたことを示す作成データをＰＣ３０へ送信する様に構成されていても良い。作成データをＰＣ３０へ送信する場合は、作成データを送信する動作が所定動作となる。
【００２５】
複数の送信機が第１受信機１０の周囲に存在する場合には、複数の送信機に対応した識別データが受信されることとなるが、その場合に、第１ＣＰＵ１１は、受信された全ての識別データ及びその際の受信強度データを第１メモリ１４へ記録することも、予め定められた個数（例えば５種類）の識別データのみを第１メモリ１４へ記録することも可能である。さらに、第１メモリ１４へ記録する識別データの個数をＰＣ３０からの信号に応じて変更するように制御することも可能である。
【００２６】
第２受信機２０も、第２ＣＰＵ２１、第２アンテナ２２、第２受信回路２３、第２メモリ２４、第２ＵＳＢＩ／Ｆ２５等から構成されている。また、第２ＣＰＵ２１は、第２受信回路２３から識別データを受信する受信動作と、受信動作以外の動作である、識別データを第２ＵＳＢインタフェース（Ｉ／Ｆ）２５を用いてＰＣ３０へ送信する所定動作を制御する動作実行手段として機能する。さらに、第２ＣＰＵ２１も、前述した第１ＣＰＵ１１と同様な制御を行うことが可能なように構成されている。また、作成データをＰＣ３０へ送信する場合は、作成データを送信する動作が所定動作となる。
【００２７】
ＰＣ３０は、第３ＣＰＵ３１、第１ＵＳＢＩ／Ｆ１５及び第２ＵＳＢＩ／Ｆ２５とのデータの送受信を行うための第３ＵＳＢＩ／Ｆ３２、プログラムを記録し受信したデータ等を記録するＲＡＭ及びＲＯＭ等から構成される第３メモリ３３、キーボード及びマウス等から構成される操作部３４、液晶ディスプレイ等から構成される表示部３５等から構成されている。
【００２８】
第３ＣＰＵ３１は、所定動作要求信号送信手段として機能する第３ＵＳＢＩ／Ｆ３２を制御して第１受信機１０及び第２受信機２０へ所定動作要求信号を送信する要求信号送信制御動作と、所定動作要求信号を第１受信機１０及び第２受信機２０の何れか一方へ所定のタイミングで切替えて送信する切換制御動作を行う、制御手段として機能することができる。また、第３ＣＰＵ３１は、受信した識別データ及び受信強度データに基づいて、ＰＣ３０の施錠（ロック）状態及び開錠（アンロック）状態を制御する、施錠手段として機能することもできる。施錠状態では、ＰＣ３０の全ての機能を使用不可能状態としても良いし、ＰＣ３０の機能の一部のみを使用不可能状態（例えば、スクリーンセーバのみ動作可能等）と設定しても良い。また、第１受信機１０や第２受信機２０が、前述の作成データをＰＣ３０に送信する場合には、認証されたことを示す作成データを受信したときに、ＰＣ３０の第３ＣＰＵ３１が、開錠状態に制御し、認証されたことを示す作成データを受信しなかった場合には、ＰＣ３０の第ＣＰＵ３１が施錠状態に制御するようにしてもよい。
【００２９】
送信機４０は、所定の間隔（例えば２秒間隔）で、識別コードを送信するように構成されている。送信機４０は、例えば、ユーザが常時携帯することを前提としたタグ型に構成されていることが好ましいが、バッチ型、ユーザの首からぶら下げる名刺サイズのカード型、腕時計、携帯電話、ＰＤＡ及び小型ＰＣ端末などの携帯型情報機器端末として構成されていても良い。
【００３０】
図２は、各種信号等のタイミングを示した図である。
【００３１】
図２（ａ）はＰＣ３０からの所定動作要求信号の送信タイミングの一例を示し、図２（ｂ）は第１受信機１０の動作タイミングの一例を示し、図２（ｃ）は第２受信機２０の動作タイミングの一例を示し、図２（ｄ）は送信機４０からの識別データの送信タイミングの一例を示している。
【００３２】
図２（ａ）及び（ｂ）に示す様に、ＰＣ３０が、第１受信機１０へ所定動作要求信号Ｐ１を送信すると、第１受信機１０の第１ＣＰＵ１１が、既に受信した識別データ及び識別データを受信した際の受信強度データをＰＣ３０へ送信するための所定動作を期間Ｔ３に実行する。また、第１ＣＰＵ１１は、所定動作終了後、次の所定動作要求信号Ｐ３を受信するまでの期間Ｔ４の間は識別データを受信するための受信動作を実行する。以後、第１ＣＰＵ１３は、所定動作と受信動作とを繰り返し実行する。
【００３３】
図２（ａ）及び（ｃ）に示す様に、ＰＣ３０が、第２受信機２０へ所定動作要求信号Ｐ２を送信すると、第２受信機２０の第２ＣＰＵ２１が、既に受信した識別データ及び識別データを受信した際の受信強度データをＰＣ３０へ送信するための所定動作を期間Ｔ５に実行する。また、第２ＣＰＵ２１は、所定動作終了後、次の所定動作要求信号Ｐ４を受信するまでの期間Ｔ６の間は識別データを受信するための受信動作を実行する。以後、第２ＣＰＵ２１は、所定動作と受信動作とを繰り返し実行する。
【００３４】
図２（ｄ）に示すように、送信機４０からは、識別データを含んだ信号Ｐ１０、Ｐ１１が所定の間隔Ｔ９（例えば、２秒間隔）で送信される。複数の送信機が存在し、それぞれの信号の送信タイミングは不定期である。
【００３５】
図２の例では、第１受信機１０は、期間Ｔ３において所定動作（識別データをＰＣ３０へ送信する送信動作）中であることから、受信動作を行えず、送信機４０からの信号Ｐ１１を受信することができない。しかしながら、第２受信機２０では、期間Ｔ６において受信動作を行っているため、信号Ｐ１１を受信可能である。このように、本発明に係るデータ受信装置では、第１受信機１０又は第２受信機２０の何れか一方が必ず受信動作を行えるタイミングでＰＣ３０から所定動作要求信号が送信されるように予めプログラムされている。
【００３６】
第１受信機１０又は第２受信機２０の何れか一方が必ず識別データが受信できるようにするためには、必ず送信機４０からの信号Ｐ１０、１１の送信期間Ｔ１０が第１受信機１０の所定動作期間Ｔ３又は第２受信機２０の所定動作期間Ｔ５と少しでも重複せずに受信できるようにすれば良い。そこで、第１受信機１０の所定動作終了後、第２受信機２０の所定動作開始までの期間Ｔ７及び第２受信機２０の所定動作終了後、第１受信機１０の所定動作開始までの期間Ｔ８を、送信機４０からの信号Ｐ１０、１１の送信期間Ｔ１０よりも大きくなるように設定した。別の言い方をすれば、第１受信機１０の所定動作終了後、第２受信機２０の所定動作開始までの期間Ｔ７及び第２受信機２０の所定動作終了後、第１受信機１０の所定動作開始までの期間Ｔ８を、第１受信機１０及び第２受信機２０の両方が送信機４０からの信号を少なくとも１回以上受信可能な時間以上とすれば良い。
【００３７】
このように設定することによって、送信機４０から送信された信号Ｐ２０が期間Ｔ７で受信可能となり、送信機４０から送信された信号Ｐ２１が期間Ｔ８で受信可能となる。仮に、信号Ｐ２０が、第１受信機１０の所定動作期間Ｔ３の終了直前の一部の期間と重複して、第１受信機１０で受信できくても、その期間は第２受信機２０が受信動作を行っており、しかも、前述のＴ７の間隔をあけることで、第２受信機２０の所定動作期間Ｔ５が始まるまでには、信号Ｐ２０の送信は終了しているので、この場合は第２受信機２０で受信することができる。
【００３８】
また、信号Ｐ２０が、第１受信機１０の所定動作期間Ｔ３が終了した後に送信され、第２受信機２０の所定動作期間Ｔ５の一部の期間と重複し、第２受信機２０では受信できなくても、信号Ｐ２０が送信されている期間は、第１受信機１０が受信動作をおこなっているので、第１受信機１０で受信することができる。
【００３９】
信号Ｐ２１と、その前後の所定動作期間Ｔ５，Ｔ３の関係も同様であり、第１受信機１０または第２受信機２０のいずれかで受信することができる。このように、どのようなタイミングで送信機４０から信号が送信されて来ても、第１受信機１０又は第２受信機２０の何れか一方が必ず受信動作を行っている期間に受信を完了することができる。
【００４０】
したがって、上記のような条件に合致するように、ＰＣ３０の第３ＣＰＵ３１は、第１受信機１０への所定動作要求信号Ｐ１と第２受信機２０への所定動作要求信号Ｐ２との間隔Ｔ１と、第２受信機２０への所定動作要求信号Ｐ２と第１受信機１０への所定動作要求信号Ｐ３との間隔Ｔ２とを予め内部タイマー等に設定することとなる。なお、間隔Ｔ１及びＴ２は同じ時間間隔であっても、違う時間間隔であっても良い。
【００４１】
また、ＰＣ３０の第３ＣＰＵ３１は、第１受信機１０への所定動作要求信号の送信から第１受信機１０からの識別データの受信までの期間等を計測し、計測時間と既知の送信機４０からの信号の送信期間Ｔ１０に基づいて、間隔Ｔ１及びＴ２を適切な値に変更することができるようにプログラミングすることも可能である。
【００４２】
さらに、複数のセキュリティレベルに対応した複数の長さの識別コードが混在するシステムなどのように、長い識別コードが後で追加される場合には、第１受信機１０や第２受信機２０が受信した識別コードに含まれる、識別コードの長さを表す情報に基づいて、ＰＣ３０の第３ＣＰＵ３１が、間隔Ｔ１及びＴ２を適切な値に変更することができるようにプログラミングすることも可能である。
【００４３】
図３は、ＰＣ３０における施錠フローの一例を示す図である。
【００４４】
図３に示す施錠フローは、予め第３メモリ３３に記録されているプログラムに従って、第３ＣＰＵ３１が、データ受信装置１の他の構成要素と協働して実行するものとする。また、図３に示す施錠フローが実行される時点で、データ受信装置１の各構成要素には電力が供給され、動作可能な状態に維持されているものとする。
【００４５】
最初に、第３ＣＰＵ３１は、第１受信機１０に所定動作要求信号（図２（ａ）のＰ１参照）を送信する（Ｓ１）。所定動作要求信号に応じて、第１受信機１０は所定動作（図２（ｂ）の期間Ｔ３参照）を行うので、その結果、第３ＣＰＵ３１は第１受信機１０から識別データを受信する（Ｓ２）。
【００４６】
次に、第３ＣＰＵ３１は、Ｓ２で受信した識別データが、第３メモリ３３に予め記憶されている基準データと等しいか否かの認証を行い（Ｓ３）、認証が正しく行われなかった場合（Ｓ２で受信した識別データが基準データと等しくない場合又は、Ｓ２で識別データを受信できなかった場合）には、第３メモリ３３の所定のアドレスにロックフラグ１を立てる（Ｓ４）。また、認証が正しく行われた場合には、ロックフラグ１を立てずに、次のステップに進む。
【００４７】
次に、第３ＣＰＵ３１は、第２受信機２０に所定動作要求信号（図２（ａ）のＰ２参照）を送信する（Ｓ５）。所定動作要求信号に応じて、第２受信機２０は所定動作（図２（ｃ）の期間Ｔ５参照）を行うので、その結果、第３ＣＰＵ３１は第２受信機２０から識別データを受信する（Ｓ６）。
【００４８】
次に、第３ＣＰＵ３１は、Ｓ６で受信した識別データが、第３メモリ３３に予め記憶されている基準データと等しいか否かの認証を行い（Ｓ７）、認証が正しく行われなかった場合（Ｓ６で受信した識別データが基準データと等しくない場合又は、Ｓ２で識別データを受信できなかった場合）には、第３メモリ３３の所定の他のアドレスにロックフラグ２を立てる（Ｓ８）。また、認証が正しく行われた場合には、ロックフラグ２を立てずに、次のステップに進む。
【００４９】
次に、第３ＣＰＵ３１は、ロックフラグ１及び２が共に立っているか否かの判断を行い（Ｓ９）、ロックフラグ１及び２が共に立っている場合（第１及び第２受信機から受信した識別データが共に正しくない場合）には、ＰＣ３０の一部機能を施錠状態（ロック状態）とし（Ｓ１０）、ロックフラグ１及び２が共に立っていない場合（第１及び第２受信機から受信した識別データの内の少なくとも１方は正しい場合）には、ＰＣ３０の施錠状態となった一部機能を開錠状態（アンロック状態）とする（Ｓ１１）。
【００５０】
次に、第３ＣＰＵ３１は、ロックフラグ１及び２を下げて（Ｓ１２）、Ｓ１〜Ｓ１２を繰り返し実行する。
【００５１】
このように、第３ＣＰＵ３１は、図２において説明したように、第１受信機１０及び第２受信機２０の少なくとも一方は受信状態となるようなタイミングで所定動作要求信号を送信することによって、第１受信機１０及び第２受信機２０のそれぞれから識別データを受信し、受信した識別データの内の少なくとも一方の認証が正しく行われれば、ＰＣ３０を開錠状態（アンロック状態）に維持し、継続して送信機４０を有するユーザにＰＣ３０を利用し続けられるように制御を行う。
【００５２】
なお、第３ＣＰＵ３１によってロック状態とするＰＣ３０の一部機能は、例えば、操作部３４からの入力機能であっても良いし、スクリーンセイバー機能以外の全てであっても良く、状況に応じて適宜設定することが可能である。
【００５３】
また、図２の例では、第１受信機１０又は第２受信機２０の少なくとも何れか一方が必ず識別データを受信できるようにするために、第１受信機１０の所定動作期間Ｔ３と第２受信機２０の所定動作期間Ｔ５との間隔を、識別データを少なくとも１回受信可能な間隔Ｔ７やＴ８だけ離したが、従来の１個の受信機で受信する場合と比較して、受信できない期間を少なくするのであれば、所定動作期間Ｔ３と所定動作期間Ｔ５とが重複しないように、これらの間隔を、識別データが少なくとも１回受信可能な間隔より短くしても良い。所定動作期間Ｔ３の期間内に送信されてきた識別データは、従来は受信できなかったのに対し、その期間は、第２受信機で受信することができる。また、所定動作期間Ｔ５の期間内に送信されてきた識別データは、従来は受信できなかったのに対し、その期間は、第１受信機で受信することができる。また、所定動作期間Ｔ３とＴ５との間隔が短くなることによって、所定動作期間Ｔ３とＴ５の両方の期間にまたがるように識別データが送信されると、受信機１と受信機２のいずれも識別データを受信することができないが、特に、識別データの送信時間が非常に短い場合には、そのタイミングで識別データが送信される確率が低くなる。
【００５４】
図４は、データ受信装置１の状態の移行を説明するための図である。
【００５５】
前述した例では、図３のフローに示す様に、第１受信機１０及び第２受信機２０で受信したそれぞれの識別データの内、少なくとも１つの識別データを用いた認証が正しく行われた場合には、ＰＣ３０がアンロック状態とされ、第１受信機１０及び第２受信機２０で受信したそれぞれの識別３０データによる認証が両方とも正しく行われなかった場合には、ＰＣ３０がロック状態とされる。しかしながら、正規ユーザが正規の送信機４０を携帯してＰＣ３０を利用している場合に、送信機４０と第１受信機１０及び第２受信機２０との位置関係等によって通信が遮断され、突然ＰＣ３０の一部機能がロックされたのでは都合が悪い。そこで、図４の例では、ＰＣ３０の第３ＣＰＵ３１が予め記憶されたプログラムに従って、データ受信装置１を３つの状態に推移させるようにして、正規ユーザにとって、利用し易いように制御を行っている。
【００５６】
図４（ａ）はデータ受信装置１の第１状態を示し、図４（ｂ）はデータ受信装置１の第２状態を示し、図４（ｃ）はデータ受信装置１の第３状態を示している。
【００５７】
図４（ａ）に示す第１状態において、ＰＣ３０の第３ＣＰＵ３１は、ＰＣ３０の一部機能を施錠状態（ロック状態）に維持しており、第１受信機１０へのみ所定動作要求信号を送信し、第２受信機２０へは所定動作要求信号を送信しないように設定される。これによって、第２受信機２０からは識別信号を受信しないこととなり、第２受信機２０はあたかも受信動作を行っていないのと同じ状態となる。
【００５８】
さらに、ＰＣ３０の第３ＣＰＵ３１は、所定の指示信号を第１受信機１０の第１ＣＰＵ１１へ送信することによって、第１受信機１０の受信強度の閾値を高く設定している。したがって、第１受信機１０が送信機４０からの信号を受信する際に、受信強度が高くないと、仮に識別データを受信したとしても、識別データの認証が正しく行われたとは判断されない。例えば、正規ユーザが第１受信機１０から遠く離れた場所に居て識別データが届いてしまった場合でも、識別データの認証が正しく行われたとは判断されず、ＰＣ３０は開錠状態とはならない。
【００５９】
即ち、第１状態では、ＰＣ３０を開錠状態にし難い様に、識別データの認証が容易に行われないように設定されている。
【００６０】
第１受信機１０が受信した識別データの受信強度が閾値を超えたか否かの判断は、第１受信機１０から、識別データとともに送信される受信強度データに基づいて、ＰＣ３０の第３ＣＰＵ３１が行うようにして、この第３ＣＰＵ３１が判断するための閾値を高く設定してもよい。
【００６１】
図４（ａ）に示す第１状態において、識別データの認証が正しく行われたと判断された場合には、矢印Ａに示す様に、データ受信装置１は、後述する図４（ｂ）の第２状態に移行する。
【００６２】
図４（ｂ）に示す第２状態において、ＰＣ３０の第３ＣＰＵ３１は、ＰＣ３０の一部機能を開錠状態（アンロック状態）に維持しており、第１受信機１０及び第２受信機２０へ図２で説明したタイミングで交互に所定動作要求信号を送信する。また、ＰＣ３０の第３ＣＰＵ３１は、所定の指示信号を第１受信機１０の第１ＣＰＵ１１及び第２受信機２０の第２ＣＰＵ２１へ送信することによって、第１受信機１０の受信強度の閾値を第１状態の時と比較してより低く設定している。第２受信機２０の閾値は、第１状態で低い値に設定されており、第２の状態でも維持される。さらに、第２状態では、図３に示した処理フローに従って、ＰＣ３０の一部機能のロック及びアンロック状態が制御される。
【００６３】
即ち、第２状態では、ＰＣ３０の開錠状態を維持し易い様に識別データの認証が容易に行われるように設定されている。正規ユーザが携帯する正規送信機４０が第１受信機１０及び第２受信機２０の受信範囲内に存在する場合には、なるべくＰＣ３０の使用を一時的に中断させないように設定している。
【００６４】
図４（ｂ）に示す第２状態で、第１受信機１０及び第２受信機２０からのそれぞれの識別データによる認証が両方とも正しく行われない場合には、矢印Ｂに示す様に、データ受信装置１は、図４（ｃ）に示す第３状態に移行する。
【００６５】
図４（ｃ）に示す第３状態において、ＰＣ３０の第３ＣＰＵ３１は、ＰＣ３０の一部機能を施錠状態（ロック状態）に維持しており、第１受信機１０へのみ所定動作要求信号を送信し、第２受信機２０へは所定動作要求信号を送信しないように設定される。これによって、第２受信機２０からは識別信号を受信しないこととなり、第２受信機２０はあたかも受信動作を行っていないのと同じ状態となる。しかしながら、ＰＣ３０の第３ＣＰＵ３１は、第１状態とは異なり、所定の指示信号を第１受信機１０の第１ＣＰＵ１１へ送信することによって、第１受信機１０の受信強度の閾値を第１状態の時と比較してより低く設定している。
【００６６】
即ち、第３状態では、第１状態よりはＰＣ３０を開錠状態にし易く、第２状態よりはＰＣ３０を開錠状態にし難くするように設定している。
【００６７】
図４（ｃ）に示す第３状態で、第３状態に移行してから１分以内に、第１受信機１０からの識別データによる認証が正しく行なわれた場合には、矢印Ｃに示す様に、データ装置１は、図４（ｂ）に示す第２状態に移行する。逆に、第３状態に移行してから１分を経過しても、引き続き、第１受信機１０からの識別データによる認証が正しく行なわれない場合には、矢印Ｄに示す様に、データ受信装置１は、図４（ａ）に示す第１状態に移行する。なお、第３状態が維持される期間（例えば、１分）は一例であって、他の期間を採用することも可能である。
【００６８】
即ち、図４（ｃ）の状態に移行した直後には、正規ユーザが不用意に体を動かしたために、第１受信機１０と第２受信機２０が識別データを受信できずに、意図しない施錠状態に移行したり、正規ユーザが付近にある物をとるために体を動かして、一時的に施錠状態となる場合などの、正規ユーザが直ぐにＰＣ３０の利用を再開したい場合も考えられることから、直ぐに第１状態に移行せずに、中間的な第３状態に移行させるようにしたものである。そして、この第３状態で、１分経過しても、識別データを受信しないには、正規ユーザがＰＣ３０から離れた位置に移動した可能性が大きいので第３状態から第１状態に移行させる。
【００６９】
図４に示したように、認証の状態に応じて、データ受信装置１を第１状態〜第３状態の何れかに移行するように設定したので、突然ＰＣ３０が施錠状態になったり、施錠状態から開錠状態に中々移行しなくなったり、と言った不具合を解消することが可能となった。
【００７０】
図５は、データ受信装置１の状態の他の移行を説明するための図である。
【００７１】
図５（ａ）は図４（ａ）と同様のデータ受信装置１の第１状態を示し、図５（ｂ）は図４（ｂ）と同様のデータ受信装置１の第２状態を示し、図５（ｃ）はデータ受信装置１の第４状態を示している。図５に示すデータ受信装置１の状態の移行は、図４に示すものの代りに用いることができる。
【００７２】
図５（ｃ）に示す第４状態では、ＰＣ３０の第３ＣＰＵ３１は、ＰＣ３０の一部機能を開錠状態（アンロック状態）に維持しており、第１受信機１０及び第２受信機２０へ所定のタイミングで交互に所定動作要求信号を送信する。また、ＰＣ３０の第３ＣＰＵ３１は、所定の指示信号を第１受信機１０の第１ＣＰＵ１１及び第２受信機２０の第２ＣＰＵ２１へ送信することによって、第１受信機１０及び第２受信機２０の受信強度の閾値を第１状態の時と比較してより低く設定している。さらに、第４状態では、図３に示した処理フローに従って、ＰＣ３０の一部機能のロック及びアンロック状態が制御される。
【００７３】
図５（ｃ）に示す第４状態では、第４状態に移行してから１分以内に、第１受信機１０又は第２受信機２０のそれぞれ受信された識別データの少なくとも一方による認証が正しく行なわれた場合には、矢印Ｃに示す様に、データ装置１は、図５（ｂ）に示す第２状態に移行する。逆に、第４状態に移行してから１分を経過しても、引き続き、第１受信機１０及び第２受信機２０のそれぞれで受信された識別データによる認証が両方とも正しく行なわれない場合には、矢印Ｄに示す様に、データ受信装置１は、図５（ａ）に示す第１状態に移行する。なお、第４状態が維持される期間（例えば、１分）は一例であって、他の期間を採用することも可能である。
【００７４】
即ち、第４状態では、第２状態と同様に、ＰＣ３０の開錠状態を維持し易い様に識別データの認証が容易に行われるように設定されている。一時的に、ＰＣ３０の一部機能がロック状態とされても、なるべく直ぐにアンロック状態に復帰できるように設定している。
【００７５】
図５に示したように、認証の状態に応じて、データ受信装置１を第１状態、第２状態及び第４状態の何れかに移行するように設定したので、突然ＰＣ３０が施錠状態になったり、施錠状態から開錠状態に中々移行しなくなったり、と言った不具合を解消することが可能となった。
【００７６】
図６は、データ受信装置１の状態の更に他の移行を説明するための図である。
【００７７】
図６（ａ）は図４（ａ）と同様のデータ受信装置１の第１状態を示し、図６（ｂ）は図４（ｂ）と同様のデータ受信装置１の第２状態を示し、図６（ｃ）は図４（ｃ）と同様のデータ受信装置１の第３状態を示しており、図６（ｄ）は図５（ｃ）と同様のデータ受信装置１の第４状態を示している。図６に示すデータ受信装置１の状態の移行は、図４に示すものの代りに用いることができる。
【００７８】
図６（ａ）に示す第１状態において、識別データの認証が正しく行われたと判断された場合には、矢印Ａに示す様に、データ受信装置１は、図６（ｂ）に示す第２状態に移行する。
【００７９】
図６（ｂ）に示す第２状態で、第１受信機１０及び第２受信機２０のそれぞれの識別データによる認証が両方とも正しく行われない場合には、矢印Ｂに示す様に、データ受信装置１は、図６（ｄ）に示す第４状態に移行する。
【００８０】
図６（ｄ）に示す第４状態で、第４状態に移行してから１分以内に、第１受信機１０又は第２受信機２０のそれぞれで受信された識別データの少なくとも一方による認証が正しく行なわれた場合には、矢印Ｃに示す様に、データ装置１は、図６（ｂ）に示す第２状態に移行する。逆に、第４状態に移行してから１分を経過しても、引き続き、第１受信機１０及び第２受信機２０のそれぞれで受信された識別データによる認証が両方とも正しく行なわれない場合には、矢印Ｄに示す様に、データ受信装置１は、図６（ｃ）に示す第３状態に移行する。なお、第４状態が維持される期間（例えば、１分）は一例であって、他の期間を採用することも可能である。
【００８１】
図６（ｃ）に示す第３状態で、第３状態に移行してから１分以内に、第１受信機１０からの識別データによる認証が正しく行なわれた場合には、矢印Ｅに示す様に、データ装置１は、図６（ｂ）に示す第２状態に移行する。逆に、第３状態に移行してから１分を経過しても、引き続き、第１受信機１０からの識別データによる認証が正しく行なわれない場合には、矢印Ｆに示す様に、データ受信装置１は、図６（ａ）に示す第１状態に移行する。なお、第３状態が維持される期間（例えば、１分）は一例であって、他の期間を採用することも可能である。
【００８２】
図６に示したように、認証に状態に応じて、データ受信装置１を第１状態〜第４状態の何れかに移行するように設定したので、突然ＰＣ３０が施錠状態になったり、施錠状態から開錠状態に中々移行しなくなったり、と言った不具合をさらに解消することが可能となった。
【００８３】
図４の第１状態及び第３状態、図５の第１状態、図６の第１状態及び第４状態では、第２受信機２０が、所定動作要求信号を送信しないようにして、受信動作を行わないのと同じ状態にしたが、第２受信機から識別データを受信してもそれを破棄したり、第２受信機２０の閾値を、識別データが受信できない程度に高くすることにより、受信動作を行わないのと同じ状態にしたり、実際に、受信動作を停止するように、ＰＣ３０の第３ＣＰＵが制御してもよい。
【００８４】
ところで、前述した図４〜図６に示した例では、下記に記載したように、開錠状態に移行したら施錠状態になりにくくするための制御（下記（Ａ））と、開錠状態から施錠状態に移行した場合に、所定時間の間は、識別データの認証が容易に行われるようにする制御（下記（Ｂ）及び（Ｃ））とを組み合わせることで、より、正規ユーザが利用し易いデータ受信装置を構成している。
（Ａ）第１受信機１０が識別データを受信することにより開錠状態（図４（ｂ）、図５（ｂ）、図６（ｂ））に移行する施錠状態（図４（ａ）、図５（ａ）、図６（ａ））を有し、開錠状態に移行すると、第１受信機１０又は第２受信機２０のいずれかが識別データを受信することにより開錠状態を維持する。
（Ｂ）上記（Ａ）において、開錠状態で第１受信機１０及び第２受信機２０ともに識別データが受信できない場合には、第１受信機１０と第２受信機２０のいずれかが識別データを受信すると開錠状態に戻る施錠状態（図５（ｃ）、図６（ｄ））を経由してから、第１受信機１０が識別データを受信することにより開錠状態（図５（ｂ）、図６（ｂ））に移行する施錠状態に復帰させる。
（Ｃ）受信機（図４〜図６の例では第１の受信機１０）の受信強度が高い第１の閾値に設定した施錠状態（図４（ａ）、図５（ａ）、図６（ａ））で、受信機が識別データを受信することにより、受信強度が低い第２の閾値の開錠状態（図４（ｂ）、図５（ｂ）、図６（ｂ））に移行し、開錠状態で受信機が識別データを受信できない場合には、受信機の受信強度の閾値が低い第２の閾値である施錠状態（図４（ｃ）、図５（ｃ）、図６（ｃ）及び（ｄ））を経由してから、受信強度が高い第１の閾値の施錠状態に復帰させる。
【００８５】
しかしながら図４〜図６に示した例だけに限らず、上記（Ａ）〜（Ｂ）の一部の制御を用いて構成することもできる。例えば、図４（ｂ）の第２状態で第１受信機１０及び第２受信機２０ともに識別データを受信できない場合に図４（ｃ）の第３状態に移行せずに第１状態に移行させて、上記（Ａ）の制御だけを行っても良い。また、図５（ａ）の第１状態〜図５（ｄ）の第４状態で第１受信機１０の閾値の変更せずに固定とし、上記（Ｂ）の制御だけを行っても良い。また、図４（ｂ）の第２状態で第２受信機２０の受信動作を行わずに（すなわち、第１〜第３状態で第２受信機２０の受信動作を行わずに）、第１受信機１０だけで識別データの受信動作を行うようにして、上記（Ｃ）の制御だけを行っても良い。
【図面の簡単な説明】
【００８６】
【図１】本発明に係るデータ受信装置１の概略構成を示した図である。
【図２】各種信号等のタイミングを示した図である。
【図３】ＰＣ３０における施錠フローの一例を示す図である。
【図４】データ受信装置１の状態の移行を説明するための図である。
【図５】データ受信装置１の状態の他の移行を説明するための図である。
【図６】データ受信装置１の状態の更に他の移行を説明するための図である。
【符号の説明】
【００８７】
１    データ受信装置
１０    第１受信機
１１    第１ＣＰＵ
１３    第１受信回路
１４    第１メモリ
１５    第１ＵＳＢＩ／Ｆ
２０    第２受信機
２１    第２ＣＰＵ
２３    第２受信回路
２４    第２メモリ
２５    第２ＵＳＢＩ／Ｆ
３０    ＰＣ
３１    第３ＣＰＵ
３３    第３メモリ
４０    送信機
【図１】
2009134636.tif 000003
【図２】
2009134636.tif 000004
【図３】
2009134636.tif 000005
【図４】
2009134636.tif 000006
【図５】
2009134636.tif 000007
【図６】
2009134636.tif 000008